(57)【要約】      （修正有）【課題】手持ちの財布へ無雑作に投入されている小銭を指先で選別して取り出し計算の上支払う煩雑さと遅滞性を無くするため、１円〜９９円迄の小銭はキチンと前以って種別、整理収納しておき自動的に迅速且つスムースに支払いできることを目的とする。【解決手段】上部開放の枠に底に垂直に２本の隔離枠を有したコイン分別間仕切り枠２の片面に枠部を縁取る中抜きの縁取り板３を形成させ、該コイン分別間仕切り枠を、中抜きの縁取り板を外側にして、隔盤１の両面に貼着して、左右各３ケのコイン収納部を有するコイン収納器にあり、また、２種類のコイン収納器を携帯用財布の小銭入れの中に上部開放部を上にＶ字形に内蔵させたコイン収納器内臓財布。【選択図】        図６
2004321646.tif 000002
【特許請求の範囲】
【請求項１】
上部開放の枠に底に垂直に２本の隔離枠を有したコイン分別間仕切り枠の片面に枠部を縁取る中抜きの縁取り板を形成させ、該コイン分別間仕切り枠を、中抜きの縁取り板を外側にして、隔盤の両面に貼着して、左右各３ケのコイン収納部を有するコイン収納器。
【請求項２】
２種類のコイン収納器を携帯用財布の小銭入れの中に上部開放部を上にＶ字形に内蔵させた請求項１記載のコイン収納器内臓財布。
【発明の詳細な説明】
【０００１】
【産業上の利用分野】
買い物等の際、小銭の支払いを容易にするコイン分別収納器及びその収納器内臓財布に関する。
【０００２】
【従来の技術】
財布の１部分に設けられた小銭入れに無雑作に投入された小銭１円  、５  円、１０円、５０円、１００円等を指先で選り分けながら支払いするため、自分個人の支払い時間の無駄は言うまでもなく、行列して支払いを待っている人々の時間までも重加算的に無駄にすることとなる。又、選り分けの手間を省くため紙幣での支払いに傾くため尚更小銭が増加し家庭内に溜まることとなり、造幣局の小銭の増産につながり莫大な経費の無駄になる。
【０００３】
【発明が解決しようとする課題】
手持ちの財布へ無雑作に投入されている小銭を指先で選別して取り出し計算の上支払う煩雑さと遅滞性を無くするため、１円〜９９円迄の小銭はキチンと前以って種別、整理収納しておき自動的に迅速且つスムースに支払いできることを目的とする。
【０００４】
【発明を解決するための手段】
ところで上記の煩雑さと時間的ロスを軽減し、小銭の利用効率を上げ、１円〜９９円迄の支払いを迅速スムースに行うために、１円、５円コイン種別整理収納器本体（Ａ）、１０円、５０円コイン種別整理収納器本体（Ｂ）以上２種類のコイン種別整理収納器本体を財布の小銭入れのジャバラ部分へＶ字形に取り付けて、種別整理収納された小銭を親指と人差し指にて必要数だけ抜き出して迅速且つスムースに支払うことにある。
【０００５】
本発明は、上部開放の枠に底に垂直に２本の隔離枠を有したコイン分別間仕切り枠の片面に枠部を縁取る中抜きの縁取り板を形成させ、該コイン分別間仕切り枠を、中抜きの縁取り板を外側にして、隔盤の両面に貼着して、左右各３ケのコイン収納部を有するコイン収納器にあり、また、２種類のコイン収納器を携帯用財布の小銭入れの中に上部開放部を上にＶ字形に内蔵させた請求項１記載のコイン収納器内臓財布にあります。
【０００６】
【発明の実施の形態】
本発明の実施の形態を実施例にもとづき図面を参照して説明する。
図１に示す如く１円、５円コイン用種別整理収納器本体（Ａ）は本体の表と裏を区切っている隔盤１と、コインの厚み及び直径より少々ゆとりを持たせた表裏面に各々３ケの底付コイン収納ポケット状空間を形成する間仕切り兼スペーサー２と、当該ポケット側面よりコインがはみ出さず、当該本体（Ａ）の天地が逆転しても上部コイン出し入れ口よりコインが滑り出さず、尚コイン支払い時には親指と人差し指にてコインが迅速スムースにつまみ出せるように中抜きされた間仕切り縁取り板３の以上３種類の部品にて構成されている。
【０００７】
図２に示す如く当該本体は隔盤１を基板としてその表裏の対等形の間仕切り兼スペーサー２、間仕切り縁取り板３の順に底部を揃えてサンドイッチ状に重ね合わせて１体化することにより片面３ケづつ両面６ケのコイン収納ポケットを形成してなる組立図である。
【０００８】
図３は１円〜９円迄の小銭の支払いに供するため１円６と５円７のコインを当該本体（Ａ）に収納した図面である。当該コイン収納に当たっては必ず１面３ケの内の中央のポケットに５円７コインを直列２段に、その左右両サイドのそれぞれのポケットに１円６のコインを直列２段に収納した図面である。表と裏は対等形である。
そして、その断面図はコイン押えネイル５の突起部分がコイン厚より隔盤１よりに位置しているので、当該ポケットにコインを収納した場合コイン厚によりコイン押えフィンガー４が撓むのでその応力はコイン押えネイル先端に摩擦力として伝達され当該本体（Ａ）の天地が逆転した場合でもコインを押えてその滑り出しを防ぐ構造となっている。
【０００９】
図４に示す如く１０円、５０円コイン用種別整理収納器本体（Ｂ）は本体の表と裏を区切っている隔盤１と、コインの厚み及び直径より少々ゆとりを持たせた表裏面に各々３ケの底付コイン収納ポケット状空間を形成する間仕切り兼スペーサー２と、当該ポケット側面よりコインがはみ出さず、当該本体（Ｂ）の天地が逆転しても上部コイン出し入れ口よりコインが滑り出さず、尚コイン支払い時には親指と人差し指にてコインが迅速スムースにつまみ出せるように中抜きされた間仕切り縁取り板３の以上３種類の部品にて構成されている。
【００１０】
図５に示す如く当該本体は隔盤１を基板としてその表裏の対等形の間仕切り兼スペーサー２、間仕切り縁取り板３の順に底部を揃えてサンドイッチ状に重ね合わせて１体化することにより片面３ケづつ両面６ケのコイン収納ポケットを形成してなる組立図である。
【００１１】
図６は１０円〜９０円迄の小銭の支払いに供するため１０円８と５０円９のコインを当該本体（Ｂ）に収納した図面である。当該コイン収納に当たっては必ず１面３ケの内の中央のポケットに５０円９コインを直列２段に、その左右両サイドのそれぞれのポケットに１０円８のコインを直列２段に収納した図面である。
表と裏は対等形である。
そして、その断面図はコイン押えネイル５の突起部分がコイン厚より隔盤１よりに位置しているので、当該ポケットにコインを収納した場合コイン厚によりコイン押えフィンガー４が撓むのでその応力はコイン押えネイル先端に摩擦力として伝達され当該本体（Ｂ）の天地が逆転した場合でもコインを押えてその滑り出しを防ぐ構造となっている。
【００１２】
図７は１円、５円コイン用種別整理収納器本体（Ａ）と、１０円、５０円コイン種別整理収納器本体（Ｂ）とを財布の小銭入れ１１に取り付けた状態図である。当該本体（Ａ）（Ｂ）を財布の小銭入れに取り付けるに当たって、小銭入れ両サイドの凸部１４に前以て仕込済の本体接合プレート（マジックテープ（登録商標）付）１２へ隔盤１の左右の端に貼り付けてあるマジックテープ（登録商標）１０部分を重ね合わせて接着させてＶ字形のコンパクトなコイン用種別整理収納器本体（Ａ）（Ｂ）内臓の小銭入れとなる。
ジャバラ凹部１５は財布１１を開閉するためのものであり、ファスナー１６は小銭入れ１１をチャックするためのものである。
【００１３】
【発明の効果】
本発明は、以上説明したように構成されているので、以下に記載されるような効果を奏する。
買い物において小銭支払いの際、煩雑さと時間的ロスを軽減し、小銭の利用効率を上げ、１円〜９９円迄の支払いを迅速スムースに行うことができ、１円、５円コイン種別整理収納器本体（Ａ）、１０円、５０円コイン種別整理収納器本体（Ｂ）以上２種類のコイン種別整理収納器本体を財布の小銭入れのジャバラ部分へＶ字形に取り付けて、種別整理収納された小銭を親指と人差し指にて必要数だけ抜き出して迅速且つスムースに支払うことができる効果がある。
【図面の簡単な説明】
【図１】本発明の１円、５円コイン種別整理収納器本体（Ａ）の構成部品図
【図２】本発明の１円、５円コイン種別整理収納器本体（Ａ）の本体組立図
【図３】本発明の１円、５円コイン種別整理収納器本体（Ａ）のコイン収納図
【図４】本発明の１０円、５０円コイン種別整理収納器本体（Ｂ）の構成部品図
【図５】本発明の１０円、５０円コイン種別整理収納器本体（Ｂ）の本体組立図
【図６】本発明の１０円、５０円コイン種別整理収納器本体（Ｂ）のコイン収納図
【図７】本発明のコイン種別整理収納器（Ａ）（Ｂ）の財布内小銭入れ内取付要領図
【符号の説明】
１      隔盤
２      間仕切り兼スペーサー  （コイン分別間仕切り枠）
３      間仕切り縁取板（中抜き縁取板）
４      コイン押えフインガー
５      コイン押えネイル
６      １円コイン
７      ５円コイン
８      １０円コイン
９      ５０円コイン
１０    マジックテープ（登録商標）
１１    小銭入れ
１２    本体接合プレート
１３    マジックテープ（登録商標）
１４    ジャバラ凸部
１５    ジャバラ凹部
１６    ファスナー
【図１】
2004321646.tif 000003
【図２】
2004321646.tif 000004
【図３】
2004321646.tif 000005
【図４】
2004321646.tif 000006
【図５】
2004321646.tif 000007
【図６】
2004321646.tif 000008
【図７】
2004321646.tif 000009